(57)【要約】【課題】容易且つ安全に取り付けることができるパネルを提供すること。【解決手段】天板２端縁の下方に設けられたブラケット１３に形成された、上下および幅方向両側の内壁部を有する係合孔１５に、パネル４から突設する係合片１１を、係合孔１５の上部との間に所定の空間を設けて係合させ、該空間に、係合孔１５における両側の内壁部間に形成された幅方向に延びる枢軸１７に枢支される軸受部１８ｃと、軸受部１８ｃから延設された当接部１８ａとを備える抜け止め部材１８を、当接部１８ａが係合孔１５から待避する待避位置から、少なくとも係合片１１の上面１１ｃに当接させる抜け止め位置まで軸受部１８ｃを介して枢軸１７回りに回動させることによって、パネル４を、ブラケット１３より脱落不能に固定した。【選択図】図８
2010104538.tif 000002
【特許請求の範囲】
【請求項１】
天板端縁の下方に設けられたブラケットに形成された、上下および幅方向両側の内壁部を有する係合孔に、パネルから突設する係合片を、前記係合孔の上部との間に所定の空間を設けて係合させ、該空間に、前記係合孔における両側の内壁部間に形成された幅方向に延びる枢軸に枢支される軸受部と、該軸受部から延設された当接部とを備える抜け止め部材を、前記当接部が前記係合孔から待避する待避位置から、少なくとも前記係合片の上面に当接させる抜け止め位置まで前記軸受部を介して前記枢軸回りに回動させることによって、前記パネルを、前記ブラケットより脱落不能に固定したことを特徴とする天板付き家具。
【請求項２】
前記ブラケットの係合孔は、前記パネルの取付側と対抗する側に開口部を有しており、前記枢軸を、前記係合孔の両側の内壁部における前記開口近傍寄りにおいて一対に突設させ、前記軸受部が該一対の突設した枢軸に前記開口部側から回動可能に嵌合させたことを特徴とする請求項１に記載の天板付き家具。
【請求項３】
前記軸受部は一部切り欠かれた円弧形状をなし、前記当接部の両側面に設けられていることを特徴とする請求項２に記載の天板付き家具。
【請求項４】
前記抜け止め部材を回動操作する操作部が前記当接部と一体に形成され、前記操作部は、前記抜け止め位置において、前記ブラケットの前記パネルの取付側と対抗する側の面と略面一となるように位置していること特徴とする請求項２または３に記載の天板付き家具。
【請求項５】
前記係合片は、前記パネル側から斜下方に傾斜する傾斜部と、該傾斜部の下端より下方に延設され前記係合孔に係合する爪部とからなり、前記当接部は前記傾斜部と前記係合孔の上部下面に当接する円弧状面を有した扇形部で形成されていることを特徴とする請求項１ないし４のいずれかに記載の天板付き家具。
【発明の詳細な説明】
【技術分野】
【０００１】
本発明は、天板端縁の下方に設けられたブラケットの係合孔に、パネルから突設する係合部を係合させることで、デスクトップパネル等のパネルを取付けるようにした天板付き家具に関する。
【背景技術】
【０００２】
テーブルや机のような天板付き家具は、オフィスにおいて使用される場合、通常、人数に応じて複数配置されることが一般的である。そのようなレイアウトをとる場合、使用者の集中力を高めるなどの意図で、天板の端縁に、上下広幅のパネルを支持することがある。このようなパネルは、天板の反使用端縁、あるいは側端縁に支持され、他の天板を使用している人からの視線を遮ることができるようになっている。
【０００３】
こうしたパネルの取り付けにあっては、脚体から上方を向くように立設された取付具にパネルを支持するという構造が主である（例えば、特許文献１参照）。
【０００４】
また、近年では、天板の薄型化や脚体の軽量化への訴求に伴い、脚体への取り付けではなく、天板下面からブラケットを垂設し、このブラケットに、パネルを固着するという構造が採られることが多くなってきている（例えば、特許文献２、３参照）。
【０００５】
特に、特許文献３にて開示されている取付構造は、パネルをブラケットへ取り付けるにあたり、バネで上方へ付勢されたスライダによりパネル側の爪部を弾性挟持するという構造であるため、ボルトでの固定の必要が無い。これにより、パネルの一端部を押さえながら作業を行うなどの手間が省かれ、パネルのサイズによっては一人でも取り付け作業が容易に行えるという点で、優れた効果を発揮するものである。
【０００６】
【特許文献１】特開２００１−１８６９５１号公報（第２頁、第７図）
【特許文献２】特開２００４−１３６００５号公報（第３頁、第３図）
【特許文献３】特開２００８−１１９２６１号公報（第７頁、第７図）
【発明の開示】
【発明が解決しようとする課題】
【０００７】
しかしながら、特許文献３にあっては、天板から垂設された金属製のブラケット内に、上下広幅である別体のスライダを挿入するという構造を採っているため、部材構成が複雑化していた。特に、スライダのパネル側への脱落防止手段を設ける場合には、部材構成がさらに複雑化していた。
【０００８】
また、バネでの付勢方向が上方であるため、必然的に解除手段の移動方向も上下方向となるが、このため、解除用のボタンがブラケットの上方へ突出していた。この構造では、パネルの取り外しを行い易い反面、重いものがボタンに当たると、意図せずパネルが脱落する虞もあった。
【０００９】
本発明は、このような問題点に着目してなされたもので、容易且つ安全に取り付けることができるパネルを提供することを目的とする。
【課題を解決するための手段】
【００１０】
上記課題を解決するために、本発明の請求項１に記載の天板付き家具は、
天板端縁の下方に設けられたブラケットに形成された、上下および幅方向両側の内壁部を有する係合孔に、パネルから突設する係合片を、前記係合孔の上部との間に所定の空間を設けて係合させ、該空間に、前記係合孔における両側の内壁部間に形成された幅方向に延びる枢軸に枢支される軸受部と、該軸受部から延設された当接部とを備える抜け止め部材を、前記当接部が前記係合孔から待避する待避位置から、少なくとも前記係合片の上面に当接させる抜け止め位置まで前記軸受部を介して前記枢軸回りに回動させることによって、前記パネルを、前記ブラケットより脱落不能に固定したことを特徴としている。
この特徴によれば、抜け止め部材を回動させるだけでパネルのブラケットへの取付が完了するので、パネルの取付作業が容易である。また、抜け止め部材は係合孔に支持されており、パネルの取付状態にあっては抜け止め部材の当接部が係合孔内にあって外方に露呈しないので、意図せずに抜け止め部材に触れて係合が外れてしまう虞を回避することができる。
【００１１】
本発明の請求項２に記載の天板付き家具は、請求項１に記載の天板付き家具であって、
前記ブラケットの係合孔は、前記パネルの取付側と対抗する側に開口部を有しており、前記枢軸を、前記係合孔の両側の内壁部における前記開口近傍寄りにおいて一対に突設させ、前記軸受部が該一対の突設した枢軸に前記開口部側から回動可能に嵌合させたことを特徴としている。
この特徴によれば、抜け止め部材を、パネル取付側と対抗する側の開口部よりブラケットに軸受部を介して嵌合させることができるので、パネルの取付の邪魔になることが無く、作業性に優れる。
【００１２】
本発明の請求項３に記載の天板付き家具は、請求項２に記載の天板付き家具であって、
前記軸受部は一部切り欠かれた円弧形状をなし、前記当接部の両側面に設けられていることを特徴としている。
この特徴によれば、軸受部は円弧形状の一部切り欠かれた部分から容易に一対の枢軸に嵌合及び取り外しができ、しかも円弧形状であるので嵌合後の抜け止め部材の回動運動に適している。
【００１３】
本発明の請求項４に記載の天板付き家具は、請求項２または３に記載の天板付き家具であって、
前記抜け止め部材を回動操作する操作部が前記当接部と一体に形成され、前記操作部は、前記抜け止め位置において、前記ブラケットの前記パネルの取付側と対抗する側の面と略面一となるように位置していることを特徴としている。
この特徴によれば、ブラケットのパネルの取付側と対抗する側の面と略面一となるように位置している操作部を、抜け止め位置から意図せず回動してしまうことがない。
【００１４】
本発明の請求項５に記載の天板付き家具は、請求項１ないし４のいずれかに記載の天板付き家具であって、
前記係合片は、前記パネル側から斜下方に傾斜する傾斜部と、該傾斜部の下端より下方に延設され前記係合孔に係合する爪部とからなり、前記当接部は前記傾斜部と前記係合孔の上部下面に当接する円弧状面を有した扇形部で形成されていることを特徴としている。
この特徴によれば、当接部が扇形部で形成できるので製作が容易であり、傾斜部と円弧状面との当接度合いを変化させることでパネルの抜け止めのための圧接力を適宜変えることができる。
【発明を実施するための最良の形態】
【００１５】
本発明の実施例を以下に説明する。
【実施例１】
【００１６】
本発明の実施例１を図面に基づいて説明すると、先ず図１は、本発明の実施例１における天板付き家具としての机の全体像を示す斜視図である。図２は、机の側面図である。図３は、机の一端側を示す正面図である。図４は、机の一端側を示す平面図である。図５（ａ）は、パネルに設けられた係合部材の正面図であり、（ｂ）は、（ａ）のＡ−Ａ断面図である。図６（ａ）は、ブラケットの正面図であり、（ｂ）は、（ａ）のＢ−Ｂ断面図である。図７（ａ）は、抜け止め部材の側面図であり、（ｂ）は、同じく背面図である。図８は、抜け止め部材の回動状況を示す一部断面図である。
【００１７】
図１に示されるように、本実施例の天板付き家具としての机１は、使用者から見て左右方向に幅広の矩形状の木製の天板２と、天板２を支持する脚体３と、天板２の左右幅と略同じ幅であって、天板２の非使用側の側縁に後述のように取付けられたパネル４と、から主として構成されている。机１は、複数の机１若しくは図示しない他の家具と組合せたいわゆるワークステーションとしての形態を採って使用され、あるいは机１単体で使用され得る。以下の説明で用いる上下左右、前後、及び内外の方向は、机１に向かう使用者を基準とした方向である。
【００１８】
図１ないし４に示されるように、脚体３は、脚部としての天板２の左右端に離間して一対に配置される脚部材５及びそれぞれの脚部材５の上面に配置される金属製の支持アーム６、そして左右両支持アーム６に連結される連結杆７から主として成る。
【００１９】
脚体３を構成する脚部材５は、木製の板部材であって、天板２の前後方向幅と略同じ長さの幅寸を有し、内側面の前後側が、それぞれ前後端部に向けて漸次先細のテーパ面と成る前後対称の形状となっている。
【００２０】
天板２は、木製の板部材であって、下面の前後側が、それぞれ前後端部に向けて漸次先細のテーパ面と成る前後対称の形状となっており、前記した脚部材５と併せた統一感を有している。
【００２１】
パネル４は、天板２よりも上方側を仕切板若しくはデスクトップパネルとして利用出来るとともに、天板２よりも下方側を幕板として利用出来るようになっている。
【００２２】
また、天板２の下面のパネル４側には、断面視略コ字状の受け部材８が左右方向に取付けられており、例えばパソコンや照明器具用の配線ケーブル等を配置できるようになっている。
【００２３】
パネル４の天板２側への取付面における左右両端部それぞれの近傍に係合部材１０が固着され、係合部材１０には係合片１１，１２が突設されている。これら係合片１１，１２が、天板２下面における反使用端側の左右両端部それぞれの近傍に固着されたブラケット１３の係合孔に係合することで、パネル４が天板２に対し取り付けられている。
【００２４】
次に、パネル４の取付構造について詳細に説明する。
【００２５】
先ず、図５（ａ）、（ｂ）に示されるように、係合部材１０には、上下２箇所において、天板２側に向って延びる係合片１１，１２が突設され、上方の係合片１１は、パネル４の取付面側から斜下方に傾斜する上面１１ｃを備えた傾斜部１１ａと、傾斜部１１ａの下端より連続して下方に延設される爪部１１ｂとから成る。下方の係合片１２も、前述した上方の係合片１１と同様に、上面１２ｃを備えた傾斜部１２ａと、爪部１２ｂとから成る。
【００２６】
図６（ａ）、（ｂ）及び図８に示されるように、短辺の水平部１３ａと長辺の鉛直部１３ｂとが略直交する側面視略Ｌ字状のブラケット１３が、その鉛直部１３ｂが天板２の反使用端縁よりも後述するパネル４側に若干突出する位置で、水平部１３ａの上面が天板２下面に対して固定に取付けられている。
【００２７】
ブラケット１３は、アルミ製部材であって、水平部１３ａに形成された挿通孔に下方から挿通されたネジＮにより天板２の下面に固着される（図８参照）。天板２下面より下方に延びる鉛直部１３ｂには、上下方向に３箇所、パネル４の取付側に開口する係合孔１４，１５，１６が形成されている。
【００２８】
それぞれの係合孔１４，１５，１６は、より詳しくは、パネル４の取付側及びこの取付側に対抗する側に貫通して開口しており、上下側の内壁及び左右側の内壁を有するとともに、パネル側において、下側の内壁から所定高さ上方に延び、且つ左右の内壁に連続する上向き鉤状の係合壁が設けられている。
【００２９】
更に、上下方向に３箇所形成された係合孔１４，１５，１６のうち、中央高さ位置の係合孔１５について詳述すると、係合孔１５は、パネル４の取付側の開口部１５ａ及びこの取付側に対抗する側に貫通して開口部１５ｂを有しており、係合孔１５の左右内壁１５ｅ，１５ｅの下部には、一対のテーパ面１５ｇ，１５ｇが、下方に向けて漸次互いに狭まるように傾斜して形成されている。また、係合孔１５の左右内壁１５ｅ，１５ｅにおける前記取付側に対抗する側、すなわち開口部１５ｂ側に、互いに向けて突出する一対の枢軸１７，１７が略同軸に設けられている。
【００３０】
図７（ａ）、（ｂ）及び図８に示されるように、この枢軸１７に、左右両面に一部切り欠かれた略円弧形状、すなわち略Ｃ字形状の軸受部１８ｃ，１８ｃと、軸受部１８ｃ，１８ｃから延設された当接部としての扇形部１８ａを備える抜け止め部材１８が枢支されるようになっている。軸受部１８ｃ，１８ｃは、扇形部１８ａと対抗する側に開口する略Ｃ字形状に形成されている。
【００３１】
抜け止め部材１８の扇形部１８ａの外周面は、抜け止め部材１８が枢支される枢軸１７を略中心として略直角に拡がる円弧状面１８ｄに形成されており、扇形部１８ａに一体に形成された操作部１８ｂを備える。更に、枢軸１７の周面における開口部１５ａ側の中央よりも若干上部に、凸形部１７ａが形成されている。
【００３２】
図７（ａ）、（ｂ）に示されるように、抜け止め部材１８は、各々の軸受部１８ｃを枢軸１７に嵌合させることで、枢軸１７回りに所定角度回動可能に取り付けられる。
【００３３】
更に、軸受部１８ｃにおける内周部の周方向中央よりも若干上部に、前記した枢軸１７の凸形部１７ａに凹凸嵌合する凹形部１８ｇが形成されている。
【００３４】
抜け止め部材１８の取り付けは、抜け止め部材１８を天板２下方の手前側から奥側に向けてブラケット１３にアプローチし、抜け止め部材１８の軸受部１８ｃを、係合孔１５におけるパネル４取付側と対抗する側の開口部１５ｂから係合孔１５内の枢軸１７に嵌合する。
【００３５】
このようにすることで、抜け止め部材１８を、パネル取付側と対抗する側の開口部１５ｂよりブラケット１３に軸受部１８ｃを介して嵌合させることができるので、パネルの取付の邪魔になることが無く、作業性に優れる。
【００３６】
図８の点線部で示されるように、枢軸１７に嵌合した抜け止め部材１８は、操作部１８ｂを予め上方に回動操作しておくことで、扇形部１８ａがパネル取付側と対抗する側を向き係合孔１５内に比較的広い空間を確保できる位置、すなわち抜け止め部材１８の待避位置に配置される。
【００３７】
次に、図８に示されるように、パネル４のブラケット１３への取り付けについて説明すると、パネル４の天板２への取付面にネジＮで取り付けられた係合部材１０の係合片１１，１２を、それぞれブラケット１３の係合孔１５，１６に係合させる。より具体的には、上方の係合片１１を、上下３箇所形成された中央部の係合孔１５に係合するとともに、下方の係合片１２を、下部の係合孔１６に係合する。
【００３８】
尚、左右方向に所定間隔で設けられる、係合部材１０の数量及びブラケット１３の数量は、本実施例のようにそれぞれ左右両端側の２箇所に限られず、パネルの左右幅や重量に応じて、例えば中央側に１箇所のみ設けてもよいし、所定間隔で３箇所以上設けてもよい。
【００３９】
更に尚、上下方向に設けられる、係合片の数量及び係合孔の数量は、本実施例のように係合片が２箇所で係合孔が３箇所に限られず、それぞれ適宜設定した数量であってよい。また、枢軸１７及び抜け止め部材１８は、適宜設定された複数箇所の係合孔のうち、いずれか１箇所若しくは所定箇所の係合孔に取付けられていてもよいし、または全ての係合孔に取付けられていても構わない。
【００４０】
係合片１１の係合について詳述すると、先ず係合片１１を構成する爪部１１ｂ及び傾斜部１１ａを、パネル４側の開口部１５ａから係合孔１５内部に挿入してパネル４を下方に下ろし、パネル４の自重により、爪部１１ｂを、係合孔１５内部の下部上面１５ｄから延びる上向き鉤状の係合壁１５ｆに係合させる（図８の矢印参照）。このとき係合片１１は、爪部１１ｂ及び傾斜部１１ａの両側面が係合孔１５に形成されたテーパ面１５ｇ，１５ｇと当接しながら係合孔１５内に進入することで、係合孔１５内で位置決めされることになる。
【００４１】
上下２箇所の係合片１１，１２が設けられるピッチと上下３箇所形成された係合孔１４，１５，１６のピッチは、略同寸法であり、パネル４の高さを調整しながらいずれの係合片１１，１２も略同じタイミングでいずれかの係合孔に係合させる。
【００４２】
このとき、中央部の係合孔１５では、抜け止め部材１８が前記した待避位置に配置され、係合孔１５内に比較的広い空間が確保されているため、係合片１１を係合孔１５内部に係合し易い。
【００４３】
次に、図８の実線部で示されるように、抜け止め部材１８の操作部１８ｂを下方に回動操作することで、扇形部１８ａを係合孔１５内において漸次パネル４側に向けて、抜け止め部材１８を待避位置から抜け止め位置に配置する。抜け止め部材１８の抜け止め位置では、扇形部１８ａの円弧状面１８ｄの一端１８ｅ側が、係合孔１５の上部下面１５ｃに当接するとともに、円弧状面１８ｄの他端１８ｆ側が、係合片１１の傾斜部１１ａの上面１１ｃに当接するようになっている。
【００４４】
更に、この抜け止め部材１８の抜け止め位置において、軸受部１８ｃの凹形部１８ｇが枢軸１７の凸形部１７ａに凹凸嵌合するようになっているため、操作者が、抜け止め部材１８を抜け止め位置に所定に配置したことを把握できるとともに、抜け止め位置に配置された抜け止め部材１８を、容易に待避位置側に逆回動してしまうことがない。
【００４５】
抜け止め部材１８の回動操作による、扇形部１８ａの円弧状面１８ｄと係合片１１の傾斜部１１ａの上面１１ｃとの当接の態様について、具体的に説明すると、円弧状面１８ｄの回動径は、枢軸１７中心から傾斜部１１ａの上面１１ｃまでの離間寸法よりも若干大寸に形成されている。抜け止め部材１８の回動操作により、先ず円弧状面１８ｄの一端１８ｅ側が傾斜部１１ａの上面１１ｃに当接し、以降、抜け止め部材１８は、円弧状面１８ｄが順次傾斜部１１ａの上面１１ｃを圧接しながら回動する。
【００４６】
そして、抜け止め部材１８の円弧状面１８ｄの他端１８ｆ側が、傾斜部１１ａの上面１１ｃに当接すると略同時に、円弧状面１８ｄの一端１８ｅ側が、係合孔１５の上部下面１５ｃに当接する抜け止め位置に達し回動操作が終了する。抜け止め部材１８は、抜け止め位置において、係合孔１５の上部下面１５ｃと傾斜部１１ａの上面１１ｃとの間で、回動が規制される。
【００４７】
このとき、抜け止め部材１８の待避位置においては上方を向いていた操作部１８ｂの一側面が、抜け止め位置において、略鉛直方向を向きブラケット２３の前面と略面一、より具体的にはブラケット２３の前面よりも若干外方に位置している。
【００４８】
この抜け止め部材１８の抜け止め位置においては、係合片１１が係合孔１５内での移動が規制され、係合壁１５ｆに係合した状態を維持している。具体的には、係合片１１をより係合し易くする目的で、係合孔１５の内部空間を係合片１１に対し所定に大きく形成しており、抜け止め部材１８を回動する前段階では、係合片１１が安定しておらず、パネル４が所定量動いてしまう虞があるが、抜け止め部材１８の抜け止め位置においては、抜け止め部材１８の円弧状面１８ｄが、傾斜部１１ａの上面１１ｃに対し略直交方向に圧接するため、結果として係合片１１を係合壁１５ｆに対し押圧することになり、係合片１１の位置が安定してパネル４が動いてしまうことがない。
【００４９】
また、扇形部１８ａと対抗する側に開口する略Ｃ字形状に形成された軸受部１８ｃ，１８ｃは、扇形部１８ａ側には閉塞しているため、係合片１１を押圧して当接する抜け止め部材１８は、係合片１１に作用する反力により軸受部１８ｃ，１８ｃの閉塞側が枢軸１７に密接することになり、枢軸１７から外れてしまう虞がない。
【００５０】
このように、抜け止め部材１８を回動させるだけでパネル４のブラケット１３への取付が完了するので、パネル４の取付作業が容易である。また、抜け止め部材１８は係合孔１５に支持されており、パネル４の取付状態にあっては抜け止め部材１８の当接部としての扇形部１８ａが、係合孔１５内部にあって外方に露呈しないので、意図せずに抜け止め部材１８に触れて係合が外れてしまう虞を回避することができる。
【００５１】
また、軸受部１８ｃは一部切り欠かれた円弧形状をなし、扇形部１８ａの両側面に設けられていることで、軸受部１８ｃは円弧形状の一部切り欠かれた部分から容易に一対の枢軸１７に嵌合及び取り外しができ、しかも円弧形状であるので嵌合後の抜け止め部材１８の回動運動に適している。
【００５２】
図８の実線部で示されるように、抜け止め部材１８の操作部１８ｂは、前記した抜け止め部材１８の抜け止め位置において、ブラケット１３の前面、すなわちブラケット１３のパネル４の取付側と対抗する側の面と略面一となるように位置している操作部１８ｂを、抜け止め位置から意図せず回動してしまうことがない。
【００５３】
更に、本実施例では、抜け止め部材の当接部として扇形部１８ａで形成できるので製作が容易であり、傾斜部１１ａの上面１１ｃと円弧状面１８ｄとの当接度合いを変化させることで、パネル４の抜け止めのための圧接力を適宜変えることができる。
【００５４】
尚、特に図示しないが、上下２箇所設けられた係合片１１，１２を、上下３箇所形成された係合孔１４，１５，１６のうち、上部及び中央部の係合孔１４，１５にそれぞれ係合することもでき、このようにすることで、パネル４の取り付け高さを上下２段階に調節することができる。また、パネル４の取り付け高さを上下いずれの高さとしても、上下いずれかの係合片１１，１２が、中央部の係合孔１５に係合することになるため、取付けたパネル４を抜け止め部材１８により安定させることができる。
【実施例２】
【００５５】
次に、本発明の実施例２を図面に基づいて説明すると、図９（ａ）は、実施例２におけるブラケットの正面図であり、（ｂ）は、（ａ）のＣ−Ｃ断面図である。図１０（ａ）は、抜け止め部材の側面図であり、（ｂ）は、同じく背面図である。図１１は、抜け止め部材の回動状況を示す一部断面図である。なお、上記実施例と同一構成で重複する構成を省略する。
【００５６】
図９（ａ）、（ｂ）に示されるように、ブラケット２３は、上下方向に３箇所、係合孔２４，２５，２６が形成されている。上部の係合孔２４は、パネル４の取付面側、及び該取付面側に連通し上方側に向けて開口する開口部２４ａを有する。係合孔２４の左右内壁２４ｅ，２４ｅの下部には、一対のテーパ面２４ｇ，２４ｇが、下方に向けて漸次互いに狭まるように傾斜して形成されている。
【００５７】
開口部２４ａは、ブラケット２３の水平部２３ａにおける天板２下面に取り付ける上面よりも一段低い高さ位置において開口している。
【００５８】
また、中央部の係合孔２５には、上述した実施例１における枢軸１７と同形状の一対の枢軸２７，２７が、左右内壁２５ｅ，２５ｅにおける開口部２５ｂ側に、互いに向けて突出して略同軸に設けられている。更に、枢軸２７の周面における開口部２５ａ側の中央よりも若干上部に、凸形部２７ａが形成されている。
【００５９】
図１０（ａ）、（ｂ）に示されるように、抜け止め部材２８は、鋭角に拡がるように形成された当接部としての扇形部２８ａと、扇形部１８ａと対抗する側に開口する略Ｃ字形状に形成された軸受部２８ｃ，２８ｃとを備えており、扇形部２８ａの円弧状面２８ｄは、後述する抜け止め部材２８の抜け止め位置において、係合片の傾斜部の上面のみに当接するようになっている。
【００６０】
尚、扇形部の拡がり度合いは、本実施例のように扇形部２８ａが鋭角に拡がっていてもよいし、若しくは上述した実施例１のように扇形部１８が略直角に拡がっていてもよく、あるいは扇形部が鈍角に拡がるものであっても構わない。
【００６１】
図１１に示されるように、本実施例では、上方の係合片１１を、上下３箇所形成された上部の係合孔２４に係合するとともに、下方の係合片１２を、中央部の係合孔２５に係合する。
【００６２】
係合片１１の係合について説明すると、先ず係合片１１を構成する爪部１１ｂ及び傾斜部１１ａを、パネル４側及び上方側に開口した開口部２４ａから係合孔２４内部に挿入してパネル４を下方に下ろし、パネル４の自重により、爪部１１ｂを、係合孔２４の上向き鉤状の係合壁２４ｆに係合させる。このとき係合片１１は、爪部１１ｂ及び傾斜部１１ａの両側面が係合孔２４に形成されたテーパ面２４ｇ，２４ｇと当接しながら係合孔２４内に進入することで、係合孔２４内で位置決めされることになる。
【００６３】
このように、上部の係合孔２４が、パネル４の取付面側、及び該取付面側に連通し上方側に向けて開口する開口部２４ａを有しているため、係合片１１を外上方から開口部２４ａを介して係合孔２４内に挿入し易い。
【００６４】
また、上部の係合孔２４の開口部２４ａが、ブラケット２３の水平部２３ａにおける天板２下面に取り付ける上面よりも一段低い高さ位置において開口しているため、開口部２４ａと天板２下面との間に間隙が形成されることになり、係合片１１を外上方から開口部２４ａに向けて進入させ易い。
【００６５】
上記した係合片１１の係合孔２４への係合と略同じタイミングで、下方の係合片１２を、抜け止め部材２８が予め待避位置（図１１点線部参照）に待避している中央部の係合孔２５に係合させる。
【００６６】
次に、図１１の実線部で示されるように、抜け止め部材２８の操作部２８ｂを下方に回動操作することで、扇形部２８ａを係合孔２５内において漸次パネル４側に向けて、抜け止め部材２８を待避位置から抜け止め位置に配置する。抜け止め部材２８の抜け止め位置では、扇形部２８ａの円弧状面２８ｄが、係合片１２の傾斜部１２ａの上面１２ｃに当接するようになっている。
【００６７】
更に、この抜け止め部材２８の抜け止め位置において、軸受部２８ｃの凹形部２８ｇが枢軸２７の凸形部２７ａに凹凸嵌合するようになっているため、操作者が、抜け止め部材２８を抜け止め位置に所定に配置したことを把握できるとともに、抜け止め位置に配置された抜け止め部材２８を、容易に待避位置側に逆回動してしまうことがない。
【００６８】
抜け止め部材２８の回動操作による、扇形部２８ａの円弧状面２８ｄと係合片１２の傾斜部１２ａの上面１２ｃとの当接の態様について、具体的に説明すると、円弧状面２８ｄの回動径は、枢軸２７中心から傾斜部１２ａの上面１２ｃまでの離間寸法よりも若干大寸に形成されている。抜け止め部材２８の回動操作により、先ず円弧状面２８ｄの一端２８ｅ側が傾斜部１２ａの上面１２ｃに当接し、以降、抜け止め部材２８は、円弧状面２８ｄが順次傾斜部１２ａの上面１２ｃを圧接しながら回動する。
【００６９】
そして、円弧状面２８ｄが傾斜部１１ａの上面１１ｃに当接した状態で、抜け止め部材２８の待避位置において上方を向いていた操作部２８ｂの一側面が、略鉛直方向を向くと略同時に、抜け止め部材２８の抜け止め位置に達し回動操作が終了する。
【００７０】
このとき、抜け止め部材１８の待避位置においては上方を向いていた操作部１８ｂの一側面が、抜け止め位置において、略鉛直方向を向きブラケット２３の前面と略面一、より具体的にはブラケット２３の前面よりも若干内方に位置している。
【００７１】
この抜け止め部材２８の抜け止め位置においては、係合片１２が係合孔２５内での移動が規制され、係合壁２５ｆに係合した状態を維持している。具体的には、係合片１２をより係合し易くする目的で、係合孔２５の内部空間を係合片１２に対し所定に大きく形成しており、抜け止め部材２８を回動する前段階では、係合片１２が安定しておらず、パネル４が所定量動いてしまう虞があるが、抜け止め部材２８の抜け止め位置においては、抜け止め部材２８の円弧状面２８ｄが、傾斜部１２ａの上面１２ｃに対し略直交方向に圧接するため、結果として係合片１２を係合壁２５ｆに対し押圧することになり、係合片１２の位置が安定してパネル４が動いてしまうことがない。
【００７２】
また、扇形部２８ａと対抗する側に開口する略Ｃ字形状に形成された軸受部２８ｃ，２８ｃは、扇形部２８ａ側には閉塞しているため、係合片１２を押圧して当接する抜け止め部材２８は、係合片１２に作用する反力により軸受部２８ｃ，２８ｃの閉塞側が枢軸２７に密接することになり、枢軸２７から外れてしまう虞がない。
【００７３】
このように、抜け止め部材２８を回動させるだけでパネル４のブラケット２３への取付が完了するので、パネル４の取付作業が容易である。また、抜け止め部材２８は係合孔２５に支持されており、パネル４の取付状態にあっては抜け止め部材２８の当接部としての扇形部２８ａが、係合孔２５内部にあって外方に露呈しないので、意図せずに抜け止め部材２８に触れて係合が外れてしまう虞を回避することができる。
【００７４】
また、軸受部２８ｃは一部切り欠かれた円弧形状をなし、扇形部２８ａの両側面に設けられていることで、軸受部２８ｃは円弧形状の一部切り欠かれた部分から容易に一対の枢軸２７に嵌合及び取り外しができ、しかも円弧形状であるので嵌合後の抜け止め部材２８の回動運動に適している。
【００７５】
図８の実線部で示されるように、抜け止め部材２８の操作部２８ｂは、前記した抜け止め部材２８の抜け止め位置において、ブラケット２３の前面、すなわちブラケット２３のパネル４の取付側と対抗する側の面と略面一となるように位置している操作部２８ｂを、抜け止め位置から意図せず回動してしまうことがない。
【００７６】
更に、本実施例では、抜け止め部材の当接部として扇形部２８ａで形成できるので製作が容易であり、傾斜部１２ａの上面１２ｃと円弧状面２８ｄとの当接度合いを変化させることで、パネル４の抜け止めのための圧接力を適宜変えることができる。
【００７７】
以上、本発明の実施例を図面により説明してきたが、具体的な構成はこれら実施例に限られるものではなく、本発明の要旨を逸脱しない範囲における変更や追加があっても本発明に含まれる。
【００７８】
例えば、上記実施例では、ブラケットの係合孔は、パネルの取付側と対抗する側に開口部を有し、抜け止め部材をこの開口部側から回動可能に嵌合させているが、例えば、ブラケットの係合孔は、前記したパネルの取付側と対抗する側が閉塞しており、抜け止め部材を、パネルの取付側から嵌合させるとともに、左右側から回動操作できるようにしてもよい。
【００７９】
また、例えば上記実施例では、抜け止め部材の軸受部は一部切り欠かれた円弧形状を成しているが、例えば軸受部は、周面が閉じられ且つ軸方向に伸縮可能な筒状部であって、収縮した状態で枢軸に同軸に配置した後、伸張して枢軸に嵌合するものであってもよい。
【００８０】
また、例えば上記実施例では、抜け止め部材の操作部は、抜け止め部材の抜け止め位置において、ブラケットのパネルの取付側と対抗する側の面と略面一となるように位置しているが、例えば操作部は、抜け止め部材の抜け止め位置において、係合孔の外部に位置していてもよいし、係合孔の内部に位置するものであってもよい。
【００８１】
また、例えば上記実施例では、抜け止め部材における当接部として、係合片の傾斜部の上面に当接する円弧状面を有する扇形部が設けられているが、当接部の形状は、例えば曲率が周方向に適宜変化する弧状面を有していてもよいし、また例えば複数組合せた平面を有していてもよい。
【００８２】
更に、例えば上記実施例では、脚体として板状の脚部材５、支持アーム６、及び連結杆７が構成されているが、脚体の構成部材や材質は、本実施例に限られず、例えば、天板の角部から下方に立設された柱状の脚体であってもよい。
【図面の簡単な説明】
【００８３】
【図１】本発明の実施例１における天板付き家具としての机の全体像を示す斜視図である。
【図２】机の側面図である。
【図３】机の一端側を示す正面図である。
【図４】机の一端側を示す平面図である。
【図５】（ａ）は、パネルに設けられた係合部材の正面図であり、（ｂ）は、（ａ）のＡ−Ａ断面図である。
【図６】（ａ）は、ブラケットの正面図であり、（ｂ）は、（ａ）のＢ−Ｂ断面図である。
【図７】（ａ）は、抜け止め部材の側面図であり、（ｂ）は、同じく背面図である。
【図８】抜け止め部材の回動状況を示す一部断面図である。
【図９】（ａ）は、実施例２におけるブラケットの正面図であり、（ｂ）は、（ａ）のＣ−Ｃ断面図である。
【図１０】（ａ）は、抜け止め部材の側面図であり、（ｂ）は、同じく背面図である。
【図１１】抜け止め部材の回動状況を示す一部断面図である。
【符号の説明】
【００８４】
１                机（天板付き家具）
２                天板
３                脚体
４                パネル
５                脚部材
６                支持アーム
７                連結杆
１０              係合部材
１１，１２        係合片
１１ａ，１２ａ    傾斜部
１１ｂ，１２ｂ    爪部
１１ｃ，１２ｃ    上面
１３              ブラケット
１４，１５，１６  係合孔
１５ａ            開口部（パネルの取付側）
１５ｂ            開口部（パネルの取付側と対抗する側）
１５ｃ            上部下面
１７              枢軸
１８              抜け止め部材
１８ａ            扇形部（当接部）
１８ｂ            操作部
１８ｃ            軸受部
１８ｄ            円弧状面
２３              ブラケット
２４，２５，２６  係合孔
２４ａ            開口部
２７              枢軸
２８ａ            扇形部（当接部）
２８ｂ            操作部
２８ｃ            軸受部
２８ｄ            円弧状面
【図１】
2010104538.tif 000003
【図２】
2010104538.tif 000004
【図３】
2010104538.tif 000005
【図４】
2010104538.tif 000006
【図５】
2010104538.tif 000007
【図６】
2010104538.tif 000008
【図７】
2010104538.tif 000009
【図８】
2010104538.tif 000010
【図９】
2010104538.tif 000011
【図１０】
2010104538.tif 000012
【図１１】
2010104538.tif 000013